(57)【要約】  本技術は、電界通信のセキュリティを、容易に向上させることができるようにする通信装置、通信方法、及び、プログラムに関する。ユーザの行動に応じて、そのユーザの生体情報が検出され、その生体情報に基づいて、電界通信部による電界通信が制御される。本技術は、例えば、人体を通信媒体とする人体通信等の、電界を利用した電界通信を行う通信装置に適用することができる。
2016084610.tif 000002
【特許請求の範囲】
【請求項１】
電界を利用した電界通信を行う電界通信部と、
ユーザの行動に応じて、前記ユーザの生体情報を検出するセンサと、
前記生体情報に基づいて、前記電界通信部による電界通信を制御する制御部と
を備える通信装置。
【請求項２】
前記制御部は、前記生体情報を用いて、前記ユーザの認証を行い、前記ユーザの認証に成功した場合に、前記電界通信部に、前記電界通信を開始させる
請求項１に記載の通信装置。
【請求項３】
前記センサは、筋電波形を検出する
請求項２に記載の通信装置。
【請求項４】
前記センサは、心電波形を検出する
請求項３に記載の通信装置。
【請求項５】
前記センサは、前記ユーザの動きを、さらに検出し、
前記制御部は、前記生体情報と、前記ユーザの動きとに基づいて、前記電界通信部による電界通信を制御する
請求項１に記載の通信装置。
【請求項６】
前記制御部は、通信相手となる装置からの信号に応じて、前記センサで前記ユーザの生体情報が検出されるように、前記ユーザの行動を促す
請求項１に記載の通信装置。
【請求項７】
前記電界通信部は、人体を通信媒体とする前記電界通信である人体通信を行う
請求項１に記載の通信装置。
【請求項８】
ウェアラブルデバイスである
請求項１に記載の通信装置。
【請求項９】
電界を利用した電界通信を行う電界通信部と、
ユーザの行動に応じて、前記ユーザの生体情報を検出するセンサと
を備える通信装置が、
前記生体情報に基づいて、前記電界通信部による電界通信を制御する
ステップを含む通信方法。
【請求項１０】
電界を利用した電界通信を行う電界通信部と、
ユーザの行動に応じて、前記ユーザの生体情報を検出するセンサと
を備える通信装置を制御するコンピュータに、
前記生体情報に基づいて、前記電界通信部による電界通信を制御する
ステップを実行させるためのプログラム。
【発明の詳細な説明】
【技術分野】
【０００１】
本技術は、通信装置、通信方法、及び、プログラムに関し、特に、例えば、電界通信のセキュリティを、容易に向上させることができるようにする通信装置、通信方法、及び、プログラムに関する。
【背景技術】
【０００２】
電界を利用した電界通信としては、人体を通信媒体とする人体通信がある。かかる人体通信を行う人体通信システムでは、例えば、ユーザが、人体通信を行う人体通信装置を携帯して、他の人体通信装置に接触すると、ユーザが携帯する人体通信装置と、他の人体通信装置との間で、通信が開始される。【０００３】
すなわち、ユーザが、他の人体通信装置に接触すると、ユーザの人体通信装置（ユーザが携帯する人体通信装置）と、他の人体通信装置との間に、ユーザの人体による通信路が形成される。そして、その通信路の形成をトリガとして、ユーザの人体通信装置と、他の人体通信装置との間で、通信が開始される。【０００４】
以上のように、人体通信システムでは、人体通信装置を携帯するユーザが、他の人体通信装置に接触すると、通信が開始される。したがって、ユーザが、通信を行う意思がないのにも関わらず、誤って、又は、無意識のうちに、他の人体通信装置に接触した場合であっても、ユーザの人体通信装置と、他の人体通信装置との間で、通信が開始される。【０００５】
ユーザが、通信を行う意思がないのにも関わらず、ユーザの人体通信装置と、他の人体通信装置との間で、通信が開始される場合、ユーザの人体通信装置に、例えば、ユーザの個人情報が記憶されているときには、その個人情報が、ユーザの知らない間に読み出されるおそれがある。ユーザの個人情報、すなわち、例えば、ユーザの氏名や、連絡先、住所、パスワード等が、ユーザの知らない間に読み出されることは、セキュリティの観点から好ましいことではない。【０００６】
そこで、装置の動作変化を検知し、その動作変化が認証情報と一致している場合に、電界通信が実行可能状態となる携帯用電界通信装置が提案されている（例えば、特許文献１を参照）。
【先行技術文献】
【特許文献】
【０００７】
【特許文献１】特開2010-074608号公報
【発明の概要】
【発明が解決しようとする課題】
【０００８】
装置の動作変化と認証情報との一致によって、電界通信を実行可能状態とする場合には、複雑な動作変化を、認証情報として登録すると、その認証情報として登録された動作変化を再現することが面倒であり、また、その動作変化を、ユーザが忘れることがある。【０００９】
一方、簡単な動作変化を、認証情報として登録すると、第三者が、容易に、認証情報としての動作変化を推測するおそれがあり、セキュリティの観点から好ましくない。【００１０】
本技術は、このような状況に鑑みてなされたものであり、電界通信のセキュリティを、容易に向上させることができるようにするものである。
【課題を解決するための手段】
【００１１】
本技術の通信装置は、電界を利用した電界通信を行う電界通信部と、ユーザの行動に応じて、前記ユーザの生体情報を検出するセンサと、前記生体情報に基づいて、前記電界通信部による電界通信を制御する制御部とを備える通信装置である。【００１２】
本技術の通信方法は、電界を利用した電界通信を行う電界通信部と、ユーザの行動に応じて、前記ユーザの生体情報を検出するセンサとを備える通信装置が、前記生体情報に基づいて、前記電界通信部による電界通信を制御するステップを含む通信方法である。【００１３】
本技術のプログラムは、電界を利用した電界通信を行う電界通信部と、ユーザの行動に応じて、前記ユーザの生体情報を検出するセンサとを備える通信装置を制御するコンピュータに、前記生体情報に基づいて、前記電界通信部による電界通信を制御するステップを実行させるためのプログラムである。【００１４】
本技術の通信装置、通信方法、及び、プログラムにおいては、ユーザの行動に応じて、ユーザの生体情報が検出され、その生体情報に基づいて、電界通信部による電界通信が制御される。【００１５】
なお、通信装置は、独立した装置であっても良いし、１つの装置を構成している内部ブロックであっても良い。【００１６】
また、プログラムは、伝送媒体を介して伝送することにより、又は、記録媒体に記録して、提供することができる。
【発明の効果】
【００１７】
本技術によれば、例えば、電界通信のセキュリティを、容易に向上させることができる。【００１８】
なお、ここに記載された効果は必ずしも限定されるものではなく、本開示中に記載されたいずれかの効果であってもよい。
【図面の簡単な説明】
【００１９】
【図１】人体を通信媒体とする人体通信を説明する図である。
【図２】人体通信システムの使用例を示す図である。
【図３】本技術を適用したウェアラブルデバイスの一実施の形態の構成例を示す平面図と断面図である。
【図４】本体４１の電気的構成例を示すブロック図である。
【図５】ウェアラブルデバイス４０の使用例を示す図である。
【図６】ウェアラブルデバイス４０と、通信相手となる人体通信装置１００との処理の例を説明するフローチャートである。
【図７】本体４１の他の電気的構成例を示すブロック図である。
【発明を実施するための形態】
【００２０】
＜人体通信＞
【００２１】
図１は、人体を通信媒体とする人体通信を説明する図である。
【００２２】
すなわち、図１は、人体通信を行う人体通信システムの構成例を示す図である。
【００２３】
図１において、人体通信システムは、電界通信送信部１０及び電界通信受信部２０を有する。
【００２４】
電界通信送信部１０は、2極（個）の電極１１及び１２を有し、電界を利用した電界通信により、データを送信する。
【００２５】
電界通信受信部２０は、2極の電極２１及び２２を有し、電界を利用した電界通信により、データを受信する。
【００２６】
以上のように構成される人体通信システムでは、電界通信送信部１０が有する2極の電極１１及び１２のうちの一方である電極１１が、通信媒体としての人体に接触している。同様に、電界通信受信部２０が有する2極の電極２１及び２２のうちの一方である電極２１が、通信媒体としての人体に接触している。
【００２７】
電界通信送信部１０は、送信対象のデータに対応する電圧を、電極１１と１２との2極の間に印加する。電極１１と１２との間に印加された電圧に従って、人体は帯電する。
【００２８】
人体が帯電すると、その帯電によって、送信対象のデータに対応した電界が生じる。この電界によって、電界通信受信部２０の電極２１と２２との2極の間に、電圧（電位差）が生じる。
【００２９】
電界通信受信部２０は、電極２１と２２との2極の間の電圧を検出して増幅し、その電圧の判定を行うことで、データを復元する。
【００３０】
図２は、人体通信システムの使用例を示す図である。
【００３１】
ユーザは、例えば、腕時計型のウェアラブルデバイスであるリストバンド３１を、腕に装着している。ウェアラブルデバイス３１は、電界通信送信部１０及び電界通信受信部２０を有する図１の人体通信システムと同様の人体通信システムを搭載している。
【００３２】
据え置き型装置３２は、ウェアラブルデバイス３１と同様に、電界通信送信部１０及び電界通信受信部２０を有する図１の人体通信システムと同様の人体通信システムを搭載しており、所定の場所に設置されている（据え置かれている）。
【００３３】
リストバンド３１を装着したユーザ（の指等）が、据え置き型装置３２に接触すると、リストバンド３１（の人体通信システム）と、据え置き型装置３２（の人体通信システム）との間に、ユーザの人体による通信路が形成される。
【００３４】
いま、通信路の形成をトリガとして、リストバンド３１と、据え置き型装置３２との間で、人体通信（人体を通信媒体とする電界通信）を開始することとする。この場合、ユーザが、通信を行う意思がないのにも関わらず、誤って、又は、無意識のうちに、据え置き型装置３２に接触したときであっても、ユーザのリストバンド３１と、据え置き型装置３２との間で、人体通信が開始される。
【００３５】
以上のように、ユーザが、通信を行う意思がないのにも関わらず、ユーザのリストバンド３１と、据え置き型装置３２との間で、人体通信が開始される場合、ユーザのリストバンド３１に、例えば、ユーザの個人情報が記憶されているときには、その個人情報が、ユーザの知らない間に読み出されるおそれがある。ユーザの個人情報が、ユーザの知らない間に読み出されることは、セキュリティの観点から好ましいことではない。
【００３６】
そこで、例えば、リストバンド３１に、人体通信を制御するボタン等の操作部を設け、操作部が、人体通信を行うように操作された場合に、人体通信を開始することで、ユーザが意図しない人体通信が行われることを防止することができる。
【００３７】
しかしながら、リストバンド３１に、人体通信を制御する操作部を設ける方法では、第三者が、操作部を操作した場合であっても、人体通信が行われる。このように、第三者による操作をトリガとして、人体通信が行われることは、セキュリティの観点から好ましくない。
【００３８】
＜本技術を適用したウェアラブルデバイスの一実施の形態＞
【００３９】
図３は、本技術を適用したウェアラブルデバイスの一実施の形態の構成例を示す平面図と、右側面の断面図である。
【００４０】
図３において、ウェアラブルデバイス４０は、人体通信としての電界通信が可能な腕時計型のウェアラブルデバイスであり、本体４１とベルト（リストバンド）４２とから構成される。ウェアラブルデバイス４０は、ベルト４２を、例えば、ユーザの腕（手首）に巻くことで、ユーザに装着される。
【００４１】
本体４１は、送信電極５１、基準電極５２、受信電極５３及び５４、並びに、LED(Light Emitting Diode)５５等を有する。
【００４２】
なお、図３では、送信電極５１ないしLED５５の実装の様子を分かりやすくするために、送信電極５１ないしLED５５のすべてが、正面から見えるように図示されている。
【００４３】
但し、本体４１において、送信電極５１、基準電極５２、及び、受信電極５３は、正面から見えないように搭載され、受信電極５４及びLED５５は、正面から見えるように搭載される。
【００４４】
すなわち、送信電極５１及び受信電極５３は、ユーザがウェアラブルデバイス４０を装着したときに、ユーザの人体に接触するように、本体４０の背面側に、露出して設けられている。
【００４５】
なお、送信電極５１及び受信電極５３は、ユーザがウェアラブルデバイス４０を装着したときに、ユーザの人体に、必ずしも接触する必要はない。すなわち、ユーザがウェアラブルデバイス４０を装着したときに、送信電極５１及び受信電極５３それぞれと、ユーザの人体との間には、多少の間隙があっても良い。
【００４６】
基準電極５３は、ユーザがウェアラブルデバイス４０を装着したときに、ユーザの人体に接触しないように、例えば、本体４１の内部に設けられている。
【００４７】
受信電極５４は、ユーザが接触する意思をもって、接触しようとしたときに、接触しやすいように、例えば、本体４１の正面側に、露出して設けられている。
【００４８】
LED５５は、ユーザが見やすいように、例えば、本体４１の正面側に、露出して設けられている。
【００４９】
図４は、図３の本体４１の電気的構成例を示すブロック図である。
【００５０】
なお、図中、図３の場合と対応する部分については、同一の符号を付してあり、以下では、その説明は、適宜省略する。
【００５１】
本体４１は、送信電極５１ないしLED５５の他、CPU(Central Processing Unit)６１、メモリ６２、電界通信送信部６３、差動アンプ６４、HPF(High Pass Filter)６５、電界通信受信部６６、LPF(Low Pass Filter)６７、及び、心電検出部６８を有する。
【００５２】
CPU６１は、メモリ６２に記憶されたプログラムを実行することにより、ウェアラブルデバイス４０全体の制御、その他の各種の処理を行うコンピュータとして機能する。
【００５３】
すなわち、例えば、CPU６１は、心電検出部６８から供給されるユーザの生体情報としての、例えば、ユーザの心電波形に基づいて、電界通信送信部６３による電界通信としての人体通信を制御する。
【００５４】
具体的には、CPU６１は、心電検出部６８から供給されるユーザの生体情報を用いて、ユーザの認証を行い、そのユーザの認証に成功した場合には、電界通信送信部６３に、人体通信を開始させる。
【００５５】
そして、CPU６１は、人体通信で送信する送信対象のデータを、メモリ６２から読み出し、電界通信送信部６３に供給する。また、CPU６１は、電界通信受信部６６から、人体通信で受信されたデータが供給された場合に、そのデータを、メモリ６２に供給して記憶させる等の必要な処理を行う。
【００５６】
その他、例えば、CPU６１は、ウェアラブルデバイス４０との間の人体通信の通信相手となる装置からの信号が、電界通信受信部６６から供給された場合に、その信号に応じて、LED５５を点灯させる。
【００５７】
すなわち、CPU６１は、LED５５を点灯させることで、心電検出部６８で生体情報としての心電波形が検出されるように、ユーザの行動を促す。CPU６１がLED５５を点灯させることで、ユーザの行動を促す点についての詳細は、後述する。
【００５８】
なお、CPU６１（コンピュータ）が実行するプログラムは、メモリ６１にあらかじめ記録しておくこと他、リムーバブル記録媒体に格納（記録）して提供し、ウェアラブルデバイス４０にインストールすることができる。リムーバブル記録媒体としては、例えば、フレキシブルディスク、CD-ROM(Compact Disc Read Only Memory)，MO(Magneto Optical)ディスク，DVD(Digital Versatile Disc)、磁気ディスク、半導体メモリ等を採用することができる。
【００５９】
また、プログラムは、リムーバブル記録媒体からウェアラブルデバイス４０にインストールする他、通信網や放送網を介して、ウェアラブルデバイス４０にダウンロードしてインストールすることができる。すなわち、プログラムは、例えば、ダウンロードサイトから、ディジタル衛星放送用の人工衛星を介して、ウェアラブルデバイス４０に無線で転送したり、LAN(Local Area Network)、インターネットといったネットワークを介して、ウェアラブルデバイス４０に有線で転送することができる。
【００６０】
メモリ６２は、CPU６１が実行するプログラムや、CPU６１の動作上必要なデータを記憶する。さらに、メモリ６２は、CPU６１が生体情報を用いて行う認証に必要な情報を記憶する。その他、メモリ６２は、必要に応じて、ユーザの氏名等の個人情報を記憶する。
【００６１】
電界通信送信部６３は、CPU６１から供給される送信対象のデータに応じた電圧を、送信電極５１と基準電極５２との間に印加することで、送信対象のデータを、人体通信としての電界通信によって送信する。
【００６２】
具体的には、電界通信送信部６３は、例えば、送信対象のデータを、ベースバンドマンチェスター符号に変換し、そのベースバンドマンチェスター符号に応じた電圧を、送信電極５１と基準電極５２との間に印加する。
【００６３】
ここで、ベースバンドマンチェスター符号は、送信対象のデータとしての2値のデータである0と1に対して、立ち下がりエッジと立ち上がりエッジを、それぞれ割り当てる符号である。かかるベースバンドマンチェスター符号は、信号スペクトルに、直流分がなく、復号（復元）に、差動復号回路を使用することで、信号に重畳された低周波雑音を低減することが可能であるという特徴を有する。
【００６４】
ベースバンドマンチェスター符号を採用した人体通信方式は、"Close Capacitive Coupling Communication"システムとして、ECMA-401及びISO/IEC 17982で標準化されている。
【００６５】
電界通信送信部６３が、送信対象のデータに応じた電圧を、送信電極５１と基準電極５２との間に印加することで、送信電極５１が接触しているユーザの人体が帯電する。ユーザの人体が帯電することにより、そのユーザの人体を通信媒体として、送信対象のデータが送信される。
【００６６】
差動アンプ６４は、受信電極５３と基準電極５２との間の電圧や、受信電極５３と５４との間の電圧を増幅し、HPF６５及びLPF６７に供給する。
【００６７】
HPF６５は、差動アンプ６４からの電圧をフィルタリングすることで、その電圧の高域の信号を抽出し、電界通信受信部６６に供給する。
【００６８】
電界通信受信部６６は、HPF６５からの信号を、元のデータに復号し、CPU６１に供給する。
【００６９】
LPF６７は、差動アンプ６４からの電圧をフィルタリングすることで、その電圧の低域の信号を抽出し、心電検出部６８に供給する。
【００７０】
心電検出部６８は、LPF67からの信号から、ユーザの生体情報の1つである心電波形を検出し、CPU６１に供給する。
【００７１】
ここで、ユーザが、ウェアラブルデバイス４０の通信相手となる人体通信装置に接触し、その人体通信装置から、電界通信送信部６３と同様にして、データが送信される場合には、そのデータに応じて、ユーザの人体は帯電し、電界が生じる。そして、この電界によって、ユーザの人体に接触している受信電極５３と、接触していない基準電極５２との間に、電圧（電位差）が生じる。
【００７２】
受信電極５３と基準電極５２との間の電圧は、差動アンプ６４で増幅され、HPF６５でフィルタリングされることにより、高域の信号が抽出される。電界通信受信部６６では、HPF６５で抽出される高域の信号が、通信相手の人体通信装置が送信した元のデータに復号される。
【００７３】
また、例えば、ウェアラブルデバイス４０を、右腕及び左腕のうちの一方の腕に装着しているユーザが、他方の腕の指で、受信電極５４に接触した場合、差動アンプ６４には、受信電極５３と５４との間に生じる電圧が供給される。すなわち、一方の腕に接触している受信電極５３と、他方の腕の指が接触した受信電極５４との間に生じる電圧が、差動アンプ６４に供給される。
【００７４】
受信電極５３と５４との間の電圧は、差動アンプ６４で増幅され、LPF６７でフィルタリングされることにより、低域の信号が抽出される。心電検出部６８では、LPF６７で抽出される低域の信号から、ユーザの生体情報としての心電波形が検出される。
【００７５】
なお、図４の本体４１において、送信電極５１、基準電極５２、受信電極５３、電界通信送信部６３、差動アンプ６４、HPF６５、及び、電界通信受信部６６が、人体通信としての電界通信を行う電界通信部７１を構成している。
【００７６】
また、本体４１において、受信電極５３及び５４、差動アンプ６４、LPF６７、及び、心電検出部６８が、ユーザの生体情報の1つである心電波形を検出するセンサ７２を構成している。
【００７７】
センサ７２では、ユーザが、受信電極５４に接触する行動をとった場合に、ユーザの心電波形が検出されるので、センサ７２は、ユーザの行動（受信電極５４に接触する行動）に応じて、生体情報としての心電波形を検出するセンサであるということができる。
【００７８】
図５は、ウェアラブルデバイス４０の使用例を示す図である。
【００７９】
図５では、ユーザは、腕時計型のウェアラブルデバイス４０を、左腕に装着している。そして、ユーザは、ウェアラブルデバイス４０を装着している方の左腕の手で、人体通信としての電界通信が可能な据え置き型の人体通信装置１００に接触している。
【００８０】
ユーザが、左腕の手で、人体通信装置１００に接触することにより、ウェアラブルデバイス４０と、人体通信装置１００との間には、ユーザの人体による通信路が形成される。
【００８１】
図２では、リストバンド３１と据え置き型装置３２との間に、ユーザの人体による通信路が形成されたことをトリガとして、リストバンド３１と据え置き型装置３２とは、人体通信を開始するが、ウェアラブルデバイス４０は、人体通信装置１００との間にユーザの人体による通信路が形成されただけでは、人体通信を開始しない。
【００８２】
ウェアラブルデバイス４０では、人体通信装置１００との間にユーザの人体による通信路が形成されると、CPU６１が、LED５５を点灯させることで、センサ７２で生体情報としての心電波形が検出されるように、ユーザの行動を促す。
【００８３】
すなわち、CPU６１が、LED５５を点灯させることで、ユーザが、受信電極５４に接触する行動とるように、ユーザの行動を促す。
【００８４】
ユーザが、LED５５の点灯によって促され、受信電極５４に接触しようとする場合、ユーザは、ウェアラブルデバイス４０を装着している左腕ではない方の右腕の指で、受信電極５４に接触する。
【００８５】
すなわち、ユーザは、左腕に、ウェアラブルデバイス４０を装着しており、また、左腕の手で、人体通信装置１００に接触しているので、左腕で、ウェアラブルデバイス４０の受信電極５４に接触することは難しい。
【００８６】
そのため、ユーザは、ウェアラブルデバイス４０を装着している左腕ではない方の右腕の指で、受信電極５４に接触する。
【００８７】
ウェアラブルデバイス４０が装着されている左腕に接触している受信電極５３と、他方の右腕の手が接触している受信電極５４との間に生じた電圧は、差動アンプ６４で増幅され、LPF６７でフィルタリングされる。そして、LPF６７のフィルタリングで得られる低域の信号は、LPF６７から心電検出部６８に供給され、心電検出部６８では、LPF６７からの低域の信号から、ユーザの心電波形が検出される。
【００８８】
心電検出部６８で検出された心電波形は、CPU６１に供給される。
【００８９】
CPU６１は、心電検出部６８から供給されるユーザの生体情報を用いて、ユーザの認証を行う。
【００９０】
すなわち、例えば、メモリ６２には、ウェアラブルデバイス４０の所有者であるユーザの生体情報としての心電波形（例えば、心電波形そのもの、又は、心電波形の特徴量）が、ユーザの認証に用いる認証情報として記憶されている。
【００９１】
メモリ６２への認証情報の登録（記憶）は、例えば、ウェアラブルデバイス４０の初期設定時等において、ユーザに、受信電極５４に接触してもらうことによって行われる。
【００９２】
CPU６１は、心電検出部６８からの心電波形と、メモリ６２に記憶された認証情報としての心電波形との特徴が一致する場合、ユーザの認証が成功したとして、電界通信部７１の電界通信送信部６３に、人体通信を開始させる。
【００９３】
一方、心電検出部６８からの心電波形と、メモリ６２に記憶された認証情報としての心電波形との特徴が一致しない場合、ユーザの認証に失敗したとして、電界通信送信部６３に、人体通信を開始させない。
【００９４】
したがって、ウェアラブルデバイス４０では、ユーザが、人体通信装置１００に接触し、ウェアラブルデバイス４０と、人体通信装置１００との間に、ユーザの人体による通信路が形成されただけでは、人体通信は行われない。
【００９５】
すなわち、ウェアラブルデバイス４０では、ユーザが、人体通信装置１００に接触しても、ウェアラブルデバイス４０の受信電極５４に接触するという行動をとらなければ、人体通信は行われない。
【００９６】
その結果、ユーザが、人体通信を行う意思がないのにも関わらず、人体通信装置１００に接触することにより、ウェアラブルデバイス４０と人体通信装置１００との間で、人体通信が行われ、メモリ６２に記憶された個人情報が読み出されることを防止することができる。
【００９７】
また、ウェアラブルデバイス４０では、ユーザが、人体通信装置１００に接触し、ウェアラブルデバイス４０の受信電極５４に接触しても、その受信電極５４の接触によって検出される心電波形を用いたユーザの認証が成功しなければ、人体通信は行われない。
【００９８】
したがって、第三者がウェアラブルデバイス４０を装着し、受信電極５４に接触しても、ウェアラブルデバイス４０と人体通信装置１００との間で、人体通信は行われないので、メモリ６２に記憶された個人情報が読み出されることを防止することができる。
【００９９】
以上のように、ウェアラブルデバイス４０では、正当なユーザ（ユーザの認証に成功するユーザ）が、ウェアラブルデバイス４０を装着し、受信電極５４に接触するという行動をとらない限りは、人体通信が行われないので、人体通信のセキュリティを、容易に向上させることができる。
【０１００】
ここで、ウェアラブルデバイス４０は、心電検出部６８で生体情報としての心電波形が検出されるように、ユーザの行動を促す行動促進処理として、LED５５を点灯させる処理を行う。この行動促進処理としてのLED５５の点灯によって、ユーザは、受信電極５４に接触する行動（以下、接触行動ともいう）とるが、この接触行動によって、ユーザの心電波形が検出され、その心電波形を用いた認証の成功により、人体通信が開始される。
【０１０１】
したがって、接触行動は、ユーザが、人体通信を行う意思があることを表す意思表示であると捉えることができる。
【０１０２】
なお、心電波形については、心臓を跨ぐような2点の位置に、電極を接触させて検出（計測）する方が、心臓を跨がない2点の位置に、電極を接触させて検出するよりも、検出精度が高い。ウェアラブルデバイス４０では、受信電極５３が、ウェアラブルデバイス４０を装着している方の腕に接触し、受信電極５４が、他方の腕で接触されるので、受信電極５３及び５４が、心臓を跨ぐ2点の位置に接触される。したがって、精度の良い心電波形を検出することができる。
【０１０３】
図６は、図５のウェアラブルデバイス４０と、通信相手となる人体通信装置１００との処理の例を説明するフローチャートである。
【０１０４】
ユーザが、ウェアラブルデバイス４０を装着し、人体通信装置１００に接触すると、ウェアラブルデバイス４０と人体通信装置１００との間には、ユーザの人体による通信路が形成される。
【０１０５】
ウェアラブルデバイス４０と人体通信装置１００との間にユーザの人体による通信路が形成されると、人体通信装置１００は、ステップＳ２１において、ビーコン信号を送信する。
【０１０６】
ビーコン信号は、ステップＳ１１において、ユーザの人体を介して、ウェアラブルデバイス４０で受信される。
【０１０７】
すなわち、ウェアラブルデバイス４０において、ビーコン信号は、基準電極５２及び受信電極５３、差動アンプ６４、及び、HPF６５を介して、電界通信受信部６６で受信され、CPU６１に供給される。
【０１０８】
CPU６１は、電界通信受信部６６から、ビーコン信号が供給されると、ステップＳ１２において、LED５５を点灯させることで、接触行動をとるように、ユーザの行動を促す。
【０１０９】
ユーザが、LED５５の点灯に対応して、接触行動をとると、すなわち、ユーザが、受信電極５４に接触すると、ステップＳ１３において、受信電極５３と受信電極５４との間に生じた電圧が、差動アンプ６４、及び、LPF６７を介して、心電検出部６８に供給され、ユーザの心電波形が検出される。
【０１１０】
心電検出部６８で検出された心電波形は、CPU６１に供給される。
【０１１１】
CPU６１は、ステップＳ１４において、心電検出部６８からのユーザの心電波形と、メモリ６２に記憶された認証情報としての心電波形とを比較することで、ユーザの認証を行う。
【０１１２】
そして、ステップＳ１５において、CPU６１は、ユーザの認証に成功したかどうかを判定する。
【０１１３】
ステップＳ１５において、ユーザの認証に成功しなかったと判定された場合、すなわち、心電検出部６８からのユーザの心電波形と、メモリ６２に記憶された認証情報としての心電波形との特徴が一致しない場合、ウェアラブルデバイス４０は、処理を終了する。
【０１１４】
この場合、ウェアラブルデバイス４０と人体通信装置１００との間では、以降の人体通信は行われない。
【０１１５】
一方、ステップＳ１５において、ユーザの認証に成功したと判定された場合、すなわち、心電検出部６８からのユーザの心電波形と、メモリ６２に記憶された認証情報としての心電波形との特徴が一致する場合、処理は、ステップＳ１６に進む。
【０１１６】
ステップＳ１６では、CPU６１は、電界通信送信部６３を制御することにより、人体通信を行うことを要求する通信要求信号を、人体通信により、人体通信装置１００に送信する。
【０１１７】
人体通信装置１００は、ステップＳ２２において、ウェアラブルデバイス４０の電界通信送信部６３から送信されてくる通信要求信号を受信する。
【０１１８】
通信要求信号を送信したウェアラブルデバイス４０と、その通信要求信号を受信した人体通信装置１００は、ステップＳ１７において、人体通信が可能な状態となって、人体通信を開始する。
【０１１９】
以上のように、ウェアラブルデバイス４０では、ユーザが、人体通信装置１００に接触し、さらに、受信電極５４に接触する接触行動をとって、人体通信を行う意思がある意思表示がされると、人体通信が可能になる。
【０１２０】
したがって、ウェアラブルデバイス４０では、ユーザが、人体通信を行う意思があることを確認した上で、人体通信を行うことができる。
【０１２１】
さらに、ウェアラブルデバイス４０では、ユーザの接触行動によって検出される心電波形を用いたユーザの認証が成功した場合に、人体通信が可能になる。
【０１２２】
したがって、人のなりすまし等の悪用を防ぐことができる。
【０１２３】
また、ウェアラブルデバイス４０では、ユーザが、ウェアラブルデバイス４０を装着しているときに、受信電極５３が、ユーザの人体に接触しており、ユーザが、受信電極５４に接触すると、ユーザに接触している受信電極５３と５４との間に生じる電圧から、心電波形が検出され、ユーザの認証が行われる。
【０１２４】
したがって、ユーザが、ウェアラブルデバイス４０を装着していないときには、ユーザが、受信電極５４に接触しても、心電波形は検出されず、ユーザの認証も行われないから、人体通信が行われることを防止することができる。
【０１２５】
さらに、ウェアラブルデバイス４０では、ビーコン信号を受信すると、そのビーコン信号に応じて、LED５５を点灯することにより、センサ７２で心電波形が検出されるように、ユーザが接触行動をとることを促す。
【０１２６】
したがって、ユーザは、LED５５の点灯によって、接触行動をトリガとして、人体通信が開始されることを認識することができる。
【０１２７】
なお、図４では、センサ７２において、心電波形を検出することとしたが、センサ７２としては、心電波形以外の筋電波形を検出するセンサを採用し、そのセンサで検出される筋電波形を、ユーザの認証に用いることができる。
【０１２８】
さらに、センサ７２としては、例えば、体温や、発汗量、血圧等の、筋電波形以外の生体情報を検出するセンサを採用し、そのセンサで検出される生体情報を、ユーザの認証に用いることができる。
【０１２９】
さらに、センサ７２で検出する生体情報は、1種類の生体情報に限定されるものではない。すなわち、センサ７２では、複数種類の生体情報を検出し、その複数種類の生体情報を、ユーザの認証に用いることができる。
【０１３０】
また、センサ７２としては、ユーザの生体情報を検出するセンサとともに、ユーザの音声を検出するマイクや、顔画像を撮影するカメラを採用し、ユーザの生体情報と音声や画像とを、ユーザの認証に用いることができる。
【０１３１】
また、センサ７２としては、ユーザの生体情報を検出するセンサとともに、ユーザの動きを検出するセンサを採用し、ユーザの生体情報と動きとを、ユーザの認証に用いることができる。すなわち、ユーザの生体情報及び動きが、認証情報としてあらかじめ登録された生体情報及び動きとそれぞれ一致する場合に、人体通信を開始することができる。
【０１３２】
さらに、ウェアラブルデバイス４０では、LED５５を点灯させることにより、ユーザに、接触行動をとるように促すこととしたが、ユーザに、接触行動をとるように促す手段は、LED５５を点灯させることに限定されるものではない。
【０１３３】
すなわち、ユーザに、接触行動をとるように促す手段としては、LED５５を点灯させることの他、所定の音の出力や、接触行動をとることを促すメッセージを、画像や音声で出力すること等を採用することができる。
【０１３４】
＜本体４１の他の構成例＞
【０１３５】
図７は、ウェアラブルデバイス４０の本体４１の他の電気的構成例を示すブロック図である。
【０１３６】
なお、図中、図４の場合と対応する部分については、同一の符号を付してあり、以下では、その説明は、適宜省略する。
【０１３７】
図７の本体４１は、基準電極５２、受信電極５４、LED５５、CPU６１ないし心電検出部６８を有する点で、図４の場合と共通する。
【０１３８】
但し、図７の本体４１は、送信電極５１及び受信電極５３に代えて、共用電極１１１が設けられているとともに、スイッチ１１２が新たに設けられている点で、図４の場合と相違する。
【０１３９】
図７では、共用電極１１１が、図４の送信電極５１及び受信電極５３の両方を兼ねている。共用電極１１１は、スイッチ１１２が切り替わることで、送信電極５１又は受信電極５３として機能する。
【０１４０】
スイッチ１１２は、共用電極１１１に接続されている。スイッチ１１２の端子aは、電界通信送信部６３に接続されており、スイッチ１１２の端子bは、差動アンプ６４に接続されている。
【０１４１】
スイッチ１１２は、CPU６１の制御に従い、端子a又はbを選択するように切り替わる。
【０１４２】
スイッチ１１２が端子aを選択している場合、共用電極１１１は、スイッチ１１２を介して、電界通信送信部６３に接続される。また、スイッチ１１２が端子bを選択している場合、共用電極１１１は、差動アンプ６４に接続される。
【０１４３】
以上のように構成される本体４１では、人体通信によりデータを送信する場合には、スイッチ１１２が、端子aに切り替えられる。スイッチ１１２が端子aに切り替えられることにより、共用電極１１１と電界通信送信部６３とが、スイッチ１１２を介して接続され、これにより、共用電極１１１は、図４の送信電極５１として機能する。
【０１４４】
一方、人体通信によりデータを受信する場合、及び、生体情報としての心電波形を検出する場合には、スイッチ１１２が、端子bに切り替えられる。スイッチ１１２が端子bに切り替えられることにより、共用電極１１１と差動アンプ５４とが、スイッチ１１２を介して接続され、これにより、共用電極１１１は、図４の受信電極５３として機能する。
【０１４５】
なお、ウェアラブルデバイス４０において、共用電極１１１は、図３の送信電極５１及び受信電極５３と同様に、ユーザがウェアラブルデバイス４０を装着したときに、ユーザに接触する位置に設けられる。
【０１４６】
ここで、本明細書において、コンピュータ(CPU６１）がプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０１４７】
また、プログラムは、１のコンピュータにより処理されるものであっても良いし、複数のコンピュータによって分散処理されるものであっても良い。
【０１４８】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１４９】
なお、本技術の実施の形態は、上述した実施の形態に限定されるものではなく、本技術の要旨を逸脱しない範囲において種々の変更が可能である。
【０１５０】
例えば、上述のフローチャートで説明した各ステップは、１つの装置で実行する他、複数の装置で分担して実行することができる。
【０１５１】
さらに、１つのステップに複数の処理が含まれる場合には、その１つのステップに含まれる複数の処理は、１つの装置で実行する他、複数の装置で分担して実行することができる。
【０１５２】
また、本技術は、人体を通信媒体とする電界通信である人体通信の他、電界を利用する電界通信に適用することができる。
【０１５３】
さらに、本明細書に記載された効果はあくまで例示であって限定されるものではなく、他の効果があってもよい。
【０１５４】
なお、本技術は、以下の構成をとることができる。
【０１５５】
＜１＞
電界を利用した電界通信を行う電界通信部と、
ユーザの行動に応じて、前記ユーザの生体情報を検出するセンサと、
前記生体情報に基づいて、前記電界通信部による電界通信を制御する制御部と
を備える通信装置。
＜２＞
前記制御部は、前記生体情報を用いて、前記ユーザの認証を行い、前記ユーザの認証に成功した場合に、前記電界通信部に、前記電界通信を開始させる
＜１＞に記載の通信装置。
＜３＞
前記センサは、筋電波形を検出する
＜１＞又は＜２＞に記載の通信装置。
＜４＞
前記センサは、心電波形を検出する
＜３＞に記載の通信装置。
＜５＞
前記センサは、前記ユーザの動きを、さらに検出し、
前記制御部は、前記生体情報と、前記ユーザの動きとに基づいて、前記電界通信部による電界通信を制御する
＜１＞ないし＜４＞のいずれかに記載の通信装置。
＜６＞
前記制御部は、通信相手となる装置からの信号に応じて、前記センサで前記ユーザの生体情報が検出されるように、前記ユーザの行動を促す
＜１＞ないし＜５＞のいずれかに記載の通信装置。
＜７＞
前記電界通信部は、人体を通信媒体とする前記電界通信である人体通信を行う
＜１＞ないし＜６＞のいずれかに記載の通信装置。
＜８＞
ウェアラブルデバイスである
＜１＞ないし＜７＞のいずれかに記載の通信装置。
＜９＞
電界を利用した電界通信を行う電界通信部と、
ユーザの行動に応じて、前記ユーザの生体情報を検出するセンサと
を備える通信装置が、
前記生体情報に基づいて、前記電界通信部による電界通信を制御する
ステップを含む通信方法。
＜１０＞
電界を利用した電界通信を行う電界通信部と、
ユーザの行動に応じて、前記ユーザの生体情報を検出するセンサと
を備える通信装置を制御するコンピュータに、
前記生体情報に基づいて、前記電界通信部による電界通信を制御する
ステップを実行させるためのプログラム。
【符号の説明】
【０１５６】
１０  電界通信送信部，  １１，１２  電極，  ２０  電界通信受信部，  ２１，２２  電極，  ３１  リストバンド，  ３２  据え置き型装置，  ４０  ウェアラブルデバイス，  ４１  本体，  ４２  ベルト，  ５１  送信電極，  ５２  基準電極，  ５３，５４  受信電極，  ５５  LED，  ６１  CPU，  ６２  メモリ，  ６３  電界通信送信部，  ６４  差動アンプ，  ６５  HPF，  ６６  電界通信受信部，  ６７  LPF，  ６８  心電検出部，  ７１  電界通信部，  ７２  センサ，  １００  人体通信装置，  １１１  共用電極，  １１２  スイッチ
【図１】
2016084610.tif 000003
【図２】
2016084610.tif 000004
【図３】
2016084610.tif 000005
【図４】
2016084610.tif 000006
【図５】
2016084610.tif 000007
【図６】
2016084610.tif 000008
【図７】
2016084610.tif 000009
【国際調査報告】
2016084610.tif 000010
2016084610.tif 000011